(57)【要約】【課題】  Ｌ型レンチのような棒状の工具を多数本収納保持すると共にその着磁や消磁ができ、外観美にも優れ、着磁及び消磁部が着脱可能に形成されて独立的に使用される工具保管装置を提供する。【解決手段】  工具収納ホルダ部１には各種サイズのＬ型レンチ４が直列及び並列に整然と収納され、工具収納ホルダ部１の基端側の側面には着磁及び消磁部２が着脱可能に係着される。工具収納ホルダ部１にはＬ型レンチに限らず略棒状の工具が収納され、着磁及び消磁部２も独立の状態で他の工具の着磁や消磁ができる。【選択図】  図１
0003129110.tif 000002
【実用新案登録請求の範囲】
【請求項１】
各種サイズの同一型式の工具及び他の形式の工具を収納する収納孔を有する工具収納ホルダ部と、該ホルダ部に着脱可能に装着される着磁及び消磁部とを有し、前記ホルダ部と着磁及び消磁部が合体又は夫々独立に使用可能に形成されることを特徴とする工具保管装置。
【請求項２】
前記工具収納ホルダ部は基端側から先端側に向かって縮寸する傾斜状に形成され、前記収納孔が基端側から先端側に向かって小寸に形成されるものからなることを特徴とする請求項１に記載の工具保管装置。
【請求項３】
前記収納孔が直列又は並列に形成されることを特徴とする請求項２に記載の工具保管装置。
【請求項４】
前記着磁及び消磁部は、中央部に工具の挿通する貫通孔を形成し該貫通孔を拡縮する弾性部を形成して左右に相対向して配置される保持部と、該保持部の内に収納され前記貫通孔の左右に配置されるマグネットとを有するものからなることを特徴とする請求項１に記載の工具保管装置。
【考案の詳細な説明】
【技術分野】
【０００１】
本考案は、例えば、各種サイズのＬ型レンチをまとめて収納保持したり、他の形式の工具を収納保持すると共にこれ等の工具の着磁や消磁（脱磁を含む）を任意に行うことのでき、工具を収納する部分と着磁及び消磁を行う部分とが合体又は夫々分離して独立に使用し得るべく形成される工具保管装置に関する。
【背景技術】
【０００２】
例えば、図９に示すＬ型レンチ４は大小各種サイズのものがあり、通常使用されるものとしては１２本や９本を一まとめにするものがある。これ等のＬ型レンチ４は夫々バラバラに収納される場合もあるが、一般には１つのホルダ内に収納される場合が多。そのため各種型式の工具ホルダが従来より開示されているが、本考案に比較的近いものとして「特許文献１」が挙げられる。
【特許文献１】特表２００２−５１８１９０号（Ｆｉｇ１）
【考案の開示】
【考案が解決しようとする課題】
【０００３】
「特許文献１」の「特表２００２−５１８１９０号」の「ねじ用工具の保管装置」はそのＦｉｇ１やＦｉｇ２に示すように工具を収納するホルダに各種サイズねじ用工具（３）を収納する収納開口部（２）を形成すると共に着磁および消磁装置（５）を一体的に形成したものである。また、この着磁および消磁装置（５）は一定の寸法の丸孔からなり、磁石（１４），（１５）を多数個丸孔内に配置したものからなる。
従って、各種サイズのねじ用工具（３）の主に着磁が十分に行われない問題点があり、もし各種サイズのねじ用工具（３）を確実に着磁するにはサイズの異なる丸孔をＦｉｇ７に示すように形成する必要がある。また、「ねじ用工具の保管装置」としては必ずしも「着磁および消磁装置」を有する必要がない場合もあり、これ等が一体的に形成されることは不便な場合もある。また、コスト高にもなる。
【０００４】
本考案は、以上の事情に鑑みて考案されたものであり、多数個のサイズや形成の異なる工具を収納保管し得ると共に着磁及び消磁部を着脱可能に装着して夫々を独立に使用し得るようにし、外観美においても優れ、かつコンパクトにまとめられる工具保管装置を提供することを目的とする。
【課題を解決するための手段】
【０００５】
本考案は、以上の目的を達成するために、請求項１の考案は、各種サイズの同一型式の工具及び他の形式の工具を収納する収納孔を有する工具収納ホルダ部と、該ホルダ部に着脱可能に装着される着磁及び消磁部とを有し、前記ホルダ部と着磁及び消磁部が合体又は夫々独立に使用可能に形成されることを特徴とする。
【０００６】
また、請求項２の考案は、前記工具収納ホルダ部は基端側から先端側に向かって縮寸する傾斜状に形成され、前記収納孔が基端側から先端側に向かって小寸に形成されるものからなることを特徴とする。
【０００７】
また、請求項３の考案は、前記収納孔が直列又は並列に形成されることを特徴とする。
【０００８】
また、請求項４の考案は、前記着磁及び消磁部は、中央部に工具の挿通する貫通孔を形成し該貫通孔を拡縮する弾性部を形成して左右に相対向して配置される保持部と、該保持部の内に収納され前記貫通孔の左右に配置されるマグネットとを有するものからなることを特徴とする。
【考案の効果】
【０００９】
本考案の請求項１の工具保管装置によれば、工具収納ホルダ部と着磁及び消磁部が合体又は夫々に分離することができ、使用目的に応じて柔軟的に対応でき、工具収納ホルダ部には各種サイズ同一形式の工具が収納できると共に他の型式の工具の保管も可能である。また、着磁及び消磁部を分離することにより、任意の工具の着磁や消磁ができ使用範囲の拡大が図れる。また、持ち運びも簡単にできる。更に、分離式のため、形状が異なる工具収納ホルダ部と着磁及び消磁部の組み合わせが可能になり多様化が図られる。また、着磁及び消磁部を独立使用することにより、より強力な工具（レンチ）の磁化が可能となり、大きい「ねじ」の使用に有効となる。
【００１０】
また、本考案の請求項２の工具保管装置によれば、工具収納ホルダ部が大径の収納孔から小径のものに向かって次第に縮寸する形状のものからなり、コンパクトにまとめられると共に美観の向上や取扱性の向上が図れる。
【００１１】
また、本考案の請求項３の工具保管装置によれば、収納孔が直列に配置されて全体が整然とまとめられると共に並列にすることにより全体をコンパクトにまとめることができる。また、請求項４の工具保管装置によれば、着磁及び消磁部が弾性部を形成するものからなり、各種サイズの工具の着磁が確実に行われる。勿論、消磁も確実に行われる。
【考案を実施するための最良の形態】
【００１２】
以下、本考案の工具保管装置の実施の形態を図面を参照して詳述する。
図１及び図２（ａ），（ｂ）は基本的には同一形状の工具保管装置１００を示すものであるが、図１はＬ型レンチ４を１２本配置したものであり、図２はＬ型レンチ４を９本配置したものである。
【００１３】
工具保管装置１００は、大別して工具収納ホルダ部１と着磁及び消磁部２とからなる。工具収納ホルダ部１は図１，図２及び図３（ａ），（ｂ），（ｃ）に示すようにその基端側から先端側に向かって高さが次第に低くなる傾斜面を上面側に形成すると共に図３（ｂ），（ｃ）に示すようにその巾寸法が次第に縮寸するテーパ形状のものからなる。この形状からなるホルダ本体３には工具４（本実施例ではＬ型レンチ４）の収納される収納孔５（本実施例では丸孔であるが、勿論これに限定するものではない）が貫通形成される。なお、本実施例ではホルダ本体３は２分され、基端側ホルダ本体３ａとこれにヒンジ６により回動可能に連結される先端側ホルダ本体３ｂとからなる。勿論、ヒンジ６のない一体型のものでもよい。また、図３（ｂ）に示すように、基端側ホルダ本体３ａには収納孔５が３個形成され、先端側ホルダ本体３ｂには直列に収納孔５が６個形成され、更に、小径の収納孔５が並列に３個形成されている。勿論、収納孔５の直列の数や並列の数は本実施例のものに限定するものではない。
【００１４】
また、図１，図２及び図３に示すように基端側ホルダ本体３ａの端部には、その上方に係止孔７を有する出張り部８が形成され、その下側には図３や図４等に示すように着磁及び消磁部２の係着する図示のような係止用凸部９が形成される。以上の構造の工具収納ホルダ部１により大小１２本や９本のＬ型レンチ４が整然と収納され、出張り部８の係止孔７を用いて全体を便利に持ち運びすることができる。
【００１５】
着磁及び消磁部２は図１，図２及び図３に示すように工具収納ホルダ部１のホルダ本体３の基端側ホルダ本体３ａの基端面側に着脱可能に係着するブロック状のものからなり、その詳細構造を図３，図４に示す。図示のように、着磁及び消磁部２は、保持部１０とマグネット１１を有するものからなり、本実施例では保持部１０はプラスチック成形品からなるが勿論これに限定するものではない。この保持部１０は中央部に工具の挿通し得る貫通孔（長孔形状の貫通孔）１２を形成するものであるが、この貫通孔１２は保持部１０に一体的に形成されている上下の弾性部１３を介して形成されるものである。よって、この貫通孔１２の巾寸法は弾性部１３の変形分だけ可変のものからなる。従って、本実施例では貫通孔１２の自由状態における巾寸法は小寸側のＬ型レンチ４に対応するものから形成し、最大の寸法のＬ型レンチ４が弾性部１３の変形により挿通し得るものから形成されることが望ましい。保持部１０の貫通孔１２の左右にはマグネット１１が相対向して装着される。このマグネット１１により、貫通孔１２内には磁場が形成される。また、図３，図４に示すように、保持部１０の外面側には工具収納ホルダ部１の係止用凸部９に係止して着磁及び消磁部２を工具収納ホルダ部１側に係着するため係止用凹部１４が凹設される。以上により、図６に示すように着磁及び消磁部２を工具収納ホルダ部１に係着保持させることができ、逆に自由に取り外しすることができる。着磁及び消磁部２は、本実施例では図５に示すように２分割されたものからなり、この一方側着磁及び消磁部２ａと他方側着磁及び消磁部２ｂとからなる。この両者は同一形状のものからなる。図５に示すように、マグネット１１は一方側着磁及び消磁部２ａに挿入され、次にこのマグネット１１に他方側着磁及び消磁部２ｂをかぶせて一体化し着磁及び消磁部２を形成する。以上着磁及び消磁部２は２分割形式のものとしたが、勿論一体的のものでもよい。
【００１６】
工具収納ホルダ部１に収納されているＬ型レンチ４は、必要に応じて所望のものを工具収納ホルダ部１から引き出して使用することになるが、その着磁や消磁について次に説明する。なお、Ｌ型レンチ４は必ずしも着磁して使用する必要のない場合もあることは勿論である。
【００１７】
図７はＬ型レンチ４の着磁方法を説明するものである。着磁は図示のように着磁及び消磁部２の貫通孔１２にＬ型レンチ４を挿し込んで往復動させることにより行われる。前記のように貫通孔１２はＬ型レンチ４の寸法に対応して拡縮するため、すべての寸法のＬ型レンチ４を確実に着磁することができる。一方、消磁は図８に示すように着磁及び消磁部２の外面にＬ型レンチ４を乗せた状態で往復動させることにより行われる。
【００１８】
本考案の工具保管装置１００は以上のような構造と機能を有するものであるが、図１等に示すように外観美（デザイン性）のある構造からなり、かつ色彩を施すことにより、より外観を向上させることができる。また、工具収納ホルダ部１と着磁及び消磁部２とを色違いにすることにより、より一層の美観の向上が図れる。
【００１９】
本考案の工具保管装置１００は以上の説明のものに限定するものではなく、同一技術的範疇のものが採用されることは勿論である。
【産業上の利用可能性】
【００２０】
本考案の工具保管装置１００にはＬ型レンチ４のみが収納されるものでなく、その他の棒状（略棒状を含む）の工具も収納することができる。また、着磁及び消磁部２は着脱構造からなるため単独で使用でき、各種の工具の着磁及び消磁に使用される。よってその利用範囲は広い。
【図面の簡単な説明】
【００２１】
【図１】１２本のＬ型レンチを収納した本考案の工具保管装置の全体構造を示す平面図。
【図２】９本のＬ型レンチを収納した本考案の工具保管装置の全体構造を示す平面図。
【図３】本考案の工具収納ホルダ部と着磁及び消磁等を示す平面図（ａ），その下面図（ｂ）及び上面図（ｃ）。
【図４】本考案の着磁及び消磁部の構造を示す断面図。
【図５】本考案の着磁及び消磁部の全体構造を示す斜視図。
【図６】着磁及び消磁部の着脱を示す模式図。
【図７】着磁及び消磁部による工具の着磁作用を示す模式図。
【図８】着磁及び消磁部による工具の消磁作用を示す模式図。
【図９】大小寸法のＬ型レンチを示す側面図。
【符号の説明】
【００２２】
１      工具収納ホルダ部
２      着磁及び消磁部
２ａ    一方側着磁及び消磁部
２ｂ    他方側着磁及び消磁部
３      ホルダ本体
３ａ    基端側ホルダ本体
３ｂ    先端側ホルダ本体
４      Ｌ型レンチ（工具４）
５      収納孔
６      ヒンジ
７      係止孔
８      出張り部
９      係止用凸部
１０    保持部
１１    マグネット
１２    貫通孔
１３    弾性部
１４    係止用凹部
１００  工具保管装置
【図１】
0003129110.tif 000003
【図２】
0003129110.tif 000004
【図３】
0003129110.tif 000005
【図４】
0003129110.tif 000006
【図５】
0003129110.tif 000007
【図６】
0003129110.tif 000008
【図７】
0003129110.tif 000009
【図８】
0003129110.tif 000010
【図９】
0003129110.tif 000011